(57)【特許請求の範囲】
【請求項１】
略矩形状の外形を有する筐体に対応した略方形の外形を有して前記筐体内に収納され、装置全体の電気回路系構成の大部分が実装された１枚の配線基板と、
交流電源電圧が変換された直流電圧の供給を受けてスイッチング動作を行うことにより交流電圧を出力するスイッチング回路を備えてスイッチング電源回路に構成され、負荷回路側にレベルの異なる所要の各電圧を出力する電源部と、
映像信号および音声信号を処理する映像・音声信号処理回路とを備え、
前記電源部の電源コードおよび前記映像・音声信号処理回路の外部入力端子および外部出力端子がそれぞれ前記筐体の前側壁を除く何れかの側壁に取り付けられたＡＶ装置において、
前記電源部が、前記スイッチング回路が前記配線基板の後端部における左端部または右端部に位置する配置で設けられているとともに、入力側に接続された電源コードが前記筐体の後側壁から外部に引き出され、
前記映像・音声信号処理回路の少なくとも前記外部出力端子が、前記スイッチング回路に対して略方形の前記配線基板の対角線上の反対側の箇所で、且つ前記筐体の左側壁または右側壁における前端寄りの箇所に配設されていることを特徴とするＡＶ装置。
【請求項２】
前記電源部を構成するブリッジ整流回路、前記スイッチング回路、トランス、整流回路、電圧安定化回路および電圧出力回路が、前記配線基板の後端部の縁部に沿って左右方向に並ぶ配置で設けられているとともに、少なくとも表示回路と操作信号処理回路を有する内蔵回路部および前記映像・音声信号処理回路が、前記配線基板の前端部の縁部に沿って左右方向に並ぶ配置で設けられ、
前記筐体における前記映像・音声信号処理回路に近接する側壁に前記外部出力端子が設けられているとともに、前記映像・音声信号処理回路の外部入力端子が前記筐体における前記外部出力端子とは反対側の側壁における前記内蔵回路部の近接箇所に設けられている請求項１に記載のＡＶ装置。
【発明の詳細な説明】
【０００１】
【発明の属する技術分野】
本発明は、ＤＶＤプレイヤーやＶＣＲ等のＡＶ装置に係り、より詳細には、スイッチング電源回路を備えた電源部の動作時に映像・音声出力信号がノイズの影響を受ける問題を防止し得るＡＶ装置に関する。
【０００２】
【従来の技術】
ＡＶ装置の電源部に広く採用されるスイッチング電源装置の一例として、プリント基板に入力用端子と出力用端子とを配設し、かつケース本体内に収納する電源装置が知られている（実開平５−７６０８８号公報参照）。
このものは、入力用端子および出力用端子を別々に分けてケース本体の底面に並設し、さらに、この入力用端子と出力用端子とをケース本体に対して対角線上に配置している。
これにより、プリント基板上に複数のスイッチング電源装置を併設する場合、入力側パターン同士が交差して接触しないように絶縁材を介在させて二層に分ける必要があった従来の不具合を解消し、プリント基板の製作工程を簡略化できるというものである。
【０００３】
ところで、この種の電源装置は、１枚のプリント基板上にスイッチング電源回路をはじめ、音声信号処理回路等を設けているが、この音声信号処理回路に接続される外部入出力端子をスイッチング電源回路と離間させていないことから、外部入出力端子が高周波の誘導を受けて外部接続機器側にノイズ信号を伝送するという問題があった。
この一例として、普及型のＤＶＤプレイヤーの場合、図３に示す如く略矩形状のケース本体２２内に略方形状でサイズの等しいプリント基板２３を収納し、このプリント基板２３上に電源部２６や映像・音声信号処理部２８等を設けている。ケース本体２２は、後側壁２２ｂの右側部から電源コード４を引き出し、左側部寄りに外部機器と接続するための複数のジャックや接続端子１０〜１３を露出させている。
【０００４】
プリント基板２３は、各所に前記メカ機構部の構成部材を配置するための穴部２３ｅ，２３ｆを開設してある。そして、このプリント基板２３の右側部２３ｃ側に電源部２６の回路素子を搭載する一方、後端部２３ｂ側に映像・音声信号処理部２８の回路素子を搭載している。
また、前端部２３ａ側に表示回路２７ａや操作信号処理部２７ｂからなる内蔵回路部２７をそれぞれ構成する回路素子を搭載している。
電源部２６は、差込プラグ５を一端に取り付けた電源コード４の他端が右端縁２３ｈ側に設けられた入力端子に接続されている。この入力端子には、ブリッジ回路２６ａを介して複数のスイッチングトランジスタ等からなるスイッチング回路２６ｂが接続されている。
２６ｃは、スイッチング回路２６ｂに接続されたトランス、２６ｄは、トランス２６ｃの出力を直流に変換する整流回路、２６ｅは、整流回路２６ｄの出力を安定化させる電圧安定化回路、２６ｆは、電圧安定化回路２６ｅの出力を各負荷回路に供給する電圧出力回路である。
【０００５】
この電圧出力回路２６ｆの出力側には、内蔵回路部２７や映像・音声信号処理部２８が接続されるとともに、着脱端子部２６ｈを介してメカ機構部や光ピックアップ側回路が接続されている。
映像・音声信号処理部２８は、ＤＶＤ信号処理部、Ａ／Ｖデコーダ、ビデオエンコーダおよびＤ／Ａ変換器等で構成されており、入力側が着脱端子部２８ａを介して光ピックアップ側回路に接続されている。
一方、出力側は２組のＲＣＡジャック１０、１個のＳビデオ出力端子１１、１個の光信号出力端子１２および２組のオーディオジャック１３にそれぞれ接続されている。
これらジャックや出力端子１０〜１３は、ケース本体２２の後側壁２２ｃにおいて、略中央に横並びで配設されている。
【０００６】
このＶＤプレイヤーは、コンセントに差込プラグ５を差込接続すると、商用電源からの交流電圧が電源部２６に導かれ、スイッチング回路２６ｂがスイッチング動作を開始することにより、電圧出力回路２６ｆから負荷側の回路各部に直流電圧が供給される。
この電圧供給に伴い、ＤＶＤ再生系が動作を開始し、ＤＶＤの記録情報が読み取られて映像・音声信号処理部８により信号処理された後、映像信号と音声信号とが前記ジャックや出力端子１０〜１３を介して外部機器側にそれぞれ送出される。
【０００７】
【発明が解決しようとする課題】
しかしながら、上記従来のＡＶ装置やＤＶＤプレイヤーは、プリント基板上に並設したスイッチング電源回路と映像・音声信号処理回路とが隣接し、映像信号出力端子および音声信号出力端子もスイッチング電源回路に接近しているため、
外部接続機器がノイズの影響を受けるという問題があった。
つまり、ＤＶＤプレイヤー等においては、電源部２６のスイッチング回路２６ｂがスイッチング動作を開始すると、ノイズの一要因となる高周波が発生する。
この高周波は、発振源であるスイッチング回路２６ｂに近いほど大きな誘導となるので、ＲＣＡジャックや出力端子１０〜１３も高周波の強い影響を受ける。すると、この高周波に起因するノイズ信号が、ＤＶＤプレイヤー側から外部機器側に送出される映像信号および音声信号に重畳され、外部機器のスピーから雑音が放音される不具合が生じていた。
また、映像信号もノイズの影響を受けて、モニタの表示画像が乱れたり、暗くなるといった問題が生じていた。
【０００８】
本発明は、上記課題に鑑みて創案されたもので、電源回路と外部入出力端子とを筐体内で相互が最も離間する位置に配設することにより、電源回路の動作に伴って映像・音声出力信号にノイズ信号が重畳される問題を回避し得るＡＶ装置を提供することを目的としている。
【０００９】
【課題を解決するための手段】
上記目的を達成するため、本発明のうち請求項１に記載の発明は、略矩形状の外形を有する筐体に対応した略方形の外形を有して前記筐体内に収納され、装置全体の電気回路系構成の大部分が実装された１枚の配線基板と、交流電源電圧が変換された直流電圧の供給を受けてスイッチング動作を行うことにより交流電圧を出力するスイッチング回路を備えてスイッチング電源回路に構成され、負荷回路側にレベルの異なる所要の各電圧を出力する電源部と、映像信号および音声信号を処理する映像・音声信号処理回路とを備え、前記電源部の電源コードおよび前記映像・音声信号処理回路の外部入力端子および外部出力端子がそれぞれ前記筐体の前側壁を除く何れかの側壁に取り付けられたＡＶ装置において、前記電源部が、前記スイッチング回路が前記配線基板の後端部における左端部または右端部の箇所に位置する配置で設けられているとともに、入力側に接続された電源コードが前記筐体の後側壁から外部に引き出され、前記映像・音声信号処理回路の少なくとも前記外部出力端子が、前記スイッチング回路に対して略方形の前記配線基板の対角線上の反対側の箇所で、且つ前記筐体の左側壁または右側壁における前端寄りの箇所に配設されていることを特徴としている。
【００１０】
また、請求項２に記載の発明は、前記電源部を構成するブリッジ整流回路、前記スイッチング回路、トランス、整流回路、電圧安定化回路および電圧出力回路が、前記配線基板の後端部の縁部に沿って左右方向に並ぶ配置で設けられているとともに、少なくとも表示回路と操作信号処理回路を有する内蔵回路部および前記映像・音声信号処理回路が、前記配線基板の前端部の縁部に沿って左右方向に並ぶ配置で設けられ、前記筐体における前記映像・音声信号処理回路に近接する側壁に前記外部出力端子が設けられているとともに、前記映像・音声信号処理回路の外部入力端子が前記筐体における前記外部出力端子とは反対側の側壁における前記内蔵回路部の近接箇所に設けられている。
【００１１】
【発明の実施の形態】
以下、本発明の実施の形態について、図示例を参照しながら説明する。
図１は、本発明の実施の形態に係るＡＶ装置の外部接続端子を示すケース本体の斜視図、図２は、同ＡＶ装置の配線基板に実装された回路各部を示す概要配置図である。
このＡＶ装置は、ＤＶＤの記録情報を再生するＤＶＤプレイヤー１に適用され、このＤＶＤプレイヤー１のケース本体２内に再生系のメカ機構部を収納するとともに、各種回路素子を実装するために１枚のプリント基板３を内蔵している。
【００１２】
ケース本体２は、図１に示す如く略矩形状に形成されており、前側壁２ａ（図２参照）側にディスクトレー挿脱口、ＬＣＤ表示部、キー操作部等を設けている。そして、ケース本体２の後側壁２ｂに電源コード４を引き出すための貫通孔２ｅを形成し、右側壁２ｃには外部機器と接続するための複数のジャックや接続端子１０〜１３を露出させる小穴を開設している。
また、このケース本体２内には、図示省略しているが、ＤＶＤを回転させるモータ、ＤＶＤの記録情報を読み取る光ピックアップ、この光ピックアップやモータの駆動を制御するサーボ回路等からなるメカ機構部を収納している。
【００１３】
プリント基板３は、図２に示すように、前記ケース本体２よりも小サイズの略方形状に形成されており、各所に前記メカ機構部の構成部材を配置するための穴部３ｅ，３ｆを開設してある。そして、この１枚のプリント基板３に、電気回路のほぼ全体を実装するようにしている。
すなわち、プリント基板３の後端部３ｂ側に電源部６の回路素子を搭載する一方、前端部３ａ側に映像・音声信号処理部８その他内蔵回路部７をそれぞれ構成する回路素子を搭載し、下面側にはこれら回路素子を接続する配線パターンが形成されている。
電源部６は、従来周知のスイッチング電源回路であって、差込プラグ５を一端に取り付けた電源コード４の他端が入力端子４ａに接続されている。この入力端子４ａは、プリント基板３の後端部３ｂにおける左端縁３ｇ側に設けられ、ヒューズ、ラインフィルターを介してブリッジ回路６ａが接続されている。
【００１４】
このブリッジ回路６ａには、複数のスイッチングトランジスタ等からなるスイッチング回路６ｂが接続されている。このスイッチング回路６ｂも、プリント基板３の左端縁３ｇ寄りに配置され、出力側にトランス６ｃの１次側が接続されている。
そして、このトランス６ｃの２次側には、複数のダイオードからなる整流回路６ｄが接続されている。さらに、この整流回路６ｄの出力側には、誤差検出回路（図示省略）やフォトカプラ６ｇ等からなる電圧安定化回路６ｅが接続されている。
また、この電圧安定化回路６ｅの出力側には、３．３Ｖや５．０Ｖといったレベルの異なる電圧を出力する電圧出力回路６ｆが接続されている。
【００１５】
この電圧出力回路６ｆは、複数の出力端子を備えており、プリント基板３の左側部３ｄに設けられた着脱端子部６ｈを介して前記メカ機構部の接続端子にそれぞれ接続されている。また、電圧出力回路６ｆの各出力端子には、プリント基板３の前端部３ａ側に配設された映像・音声信号処理部８や内蔵回路部７が接続されている。
この内蔵回路部７には、表示回路７ａや操作信号処理回路７ｂ等が含まれている。表示回路７ａは、前側壁２ａに取り付けられたＬＣＤ表示部に接続されている。また、操作信号処理回路７ｂには、前側壁２ａに配設されたキー操作部およびリモコン受信部が接続されている。
【００１６】
映像・音声信号処理部８は、ＤＶＤ信号処理部、Ａ／Ｖデコーダ、光信号出力回路およびＳＶＨＳ出力回路等を備えて構成されている。
この映像・音声信号処理部８は、入力側が着脱端子部８ａを介して前記光ピックアップ側回路と接続され、出力側がＲＣＡジャック１０、Ｓビデオ出力端子１１、光信号出力端子１２およびオーディオジャック１３にそれぞれ接続されている。
ＲＣＡジャック１０は、図１に示すように、ＬチャンネルとＲチャンネルの音声信号出力端子１０ａ，１０ｂに映像信号出力端子１０ｃを加えた３つの端子からなり、これら３端子１０ａ，１０ｂ，１０ｃを横並びにした２組のＲＣＡジャック１０を上下に配設している。
【００１７】
また、Ｓビデオ出力端子１１は、輝度信号用とクロマ信号用とが２本づつの４本のピンを円筒形の差込部内に固着したもので、Ｓビデオ入力端子を持つＴＶからＳケーブルに取り付けたコネクタが接続される。
光信号出力端子１２は、差込部内に光信号伝送素子を設けたもので、ディジタルのオーディオ機器からの光信号伝送ケーブルに取り付けたコネクタが接続される。
オーディオジャック１３は、ＬチャンネルとＲチャンネルの音声信号出力端子１３ａ，１３ｂであり、この２端子を横並びにした２組のオーディオジャック１３を上下に配設している。
これらジャックや出力端子１０〜１３は、ケース本体２の右側壁２ｃにおいて、前側壁２ａ側から後側壁２ｂ側に向けてＲＣＡジャック１０、Ｓビデオ出力端子１１、光信号出力端子１２、オーディオジャック１３の順に配設している。
【００１８】
このＤＶＤプレイヤー１は、図示省略しているが、前記光ピックアップによりＤＶＤのトラックから読み取った信号をＲＦアンプに出力する。このＲＦアンプは、読取信号を増幅してＤＶＤ等化器に出力する。
このＤＶＤ等化器は、ＲＦアンプからのＲＦ信号でＤＶＤ帯域のＲＦ信号を濾波し、かつ等化してＤＶＤ信号処理部に送出する。
このＤＶＤ信号処理部は、ＤＶＤ等化器から出力されるＤＶＤ帯域のデータストリームを受信して変調されたデータを復調し、この過程で発生したエラーを訂正してＡ／Ｖデコーダに出力する。
このＡ／Ｖデコーダは、ＤＶＤ信号処理部から出力されるデータで映像信号および音声信号を分離し、かつ信号処理した映像信号をビデオエンコーダに、音声信号をＤ／Ａ変換器にそれぞれ出力する。
【００１９】
なお、このＡ／Ｖデコーダには、音声信号を光信号に変換する変換器が接続されている。そして、この変換器の出力側には、前記光信号出力端子が接続されており、Ａ／Ｖデコーダで分離された音声信号が光信号として光信号出力端子側に送出されるようになっている。
ビデオエンコーダは、前記Ａ／Ｖデコーダからの映像信号を該当する映像表示方式にエンコーディングして、その映像信号を前記各ＲＣＡジャック１０の映像信号出力端子１０ｃおよびＳビデオ出力端子１１の映像信号用ピンに送出する。
一方、Ｄ／Ａ変換器は、ディジタルの音声信号をアナログ信号に変換して前記
各ＲＣＡジャック１０のＬ，Ｒ信号出力端子１０ａ，１０ｂと、Ｓビデオ出力端子１１の音声信号用ピンおよびオーディオジャック１３のＬ，Ｒ信号出力端子１３ａ，１３ｂにそれぞれ送出するようになっている。
【００２０】
次に、上記ＤＶＤプレイヤーの動作について、図１、図２を参照しつつ説明する。
ユーザーが、ＤＶＤプレイヤー１を使用するとき、コンセントに差込プラグ５を差込接続すると、商用電源からの交流電圧が電源部６に導かれる。
この電源部６では、ブリッジ回路６ａから出力される直流電圧がスイッチング回路６ｂに印加されると、この回路素子がスイッチング動作を開始し、交流電圧がトランス６ｃに供給される。
そして、このトランス６ｃの交流出力が整流回路６ｄで直流電圧に変換され、かつ電圧安定化回路６ｅで安定化された後、電圧出力回路６ｆより負荷側の回路各部に供給される。
この電圧供給に伴い、ＤＶＤ再生系が動作を開始し、ＤＶＤの記録情報が読み取られて光ピックアップ側回路から映像・音声信号処理部８に送出される。
この映像・音声信号処理部８では、伝送信号を処理することにより、映像信号と音声信号とを前記ジャックや出力端子１０〜１３側に送出する。
よって、これらに接続されたケーブルを介して外部機器側に出力信号がそれぞれ伝送される。
【００２１】
ところで、このＤＶＤプレイヤー１は、電源部６がスイッチング電源回路に構成されているため、電源部６のスイッチング回路６ｂがスイッチング動作を開始したときは、スイッチング回路６ｂ側で、通常、５０ＫＨｚ〜１００ＫＨｚ程度の高周波が発生する。この高周波は、ノイズの一要因となるが、ＤＶＤプレイヤー１に接続された外部機器側に影響を与える問題は大幅に抑制される。すなわち、このＤＶＤプレイヤー１は、ケース本体２内に収納された１枚のプリント基板３上に電源部６の回路素子と映像・音声信号処理部８の回路素子とを離間して実装している。特に、スイッチング回路６ｂは、プリント基板３の後端部３ｂにおける左端縁寄りに配置し、ＲＣＡジャックや出力端子１０〜１３等は、プリント基板３の前端部３ａ側における右端縁３ｈ寄りの箇所、つまり図２に明示するようにケース本体２における右側壁２ｃにおける前側壁３ａ寄りの箇所に集中して配設している。
【００２２】
従って、スイッチング回路６ｂとＲＣＡジャックや出力端子１０〜１３とは、プリント基板３上における略方形の対角線上の両端に配置されて、互いに可及的に離間している。このため、スイッチング回路６ｂ側で発生した高周波が、ＲＣＡジャックや出力端子１０〜１３側に誘導されるのが大幅に軽減される。これにより、高周波に起因するノイズ信号が、ＤＶＤプレイヤー１側から外部機器側に送出される映像信号および音声信号に重畳され難いので、外部機器のスピーカから雑音が放音されることはない。また、映像信号もノイズの影響を受け難いから、モニタ表示画面が乱れたり、暗くなるといった問題も生じなくなる。
【００２３】
なお、上記実施の形態においては、略矩形状のケース本体２内に収納される１枚のプリント基板３が略方形状とされて、若干小サイズとなっている例について説明したが、ケース本体とプリント基板とがほぼ同サイズに形成されている場合も、上記実施の形態に匹敵した作用、効果が得られる。
また、このような例では、プリント基板３の後端部３ｂ側における右端縁寄りにスイッチング回路６ｂを含む電源部６を配置し、前記ＲＣＡジャックや出力端子１０〜１３等をプリント基板３の前端部３ａ側における左端縁寄りに配設してもよい。
【００２４】
【発明の効果】
以上説明したように、本発明のうち請求項１に記載の発明では、筐体の略矩形状の外形に対応した略方形の外形を有する１枚の配線基板に、電源部や映像・音声信号処理回路などの装置全体の電気回路系構成の大部分が実装され、且つ装置としてのレイアウト上、電源部の電源コードを筐体の後端壁から外部に引き出すことが要求されるＡＶ装置において、電源部のスイッチング回路と映像・音声信号処理回路の外部出力端子とを、方形状の配線基板の対角線上の両端側に配置する構成としたので、外部出力端子がスイッチング回路に対し可及的に離間した位置となることにより、外部出力端子がスイッチング回路のスイッチング動作時に発生する高周波の誘導を受け難くなり、外部出力端子を介して外部接続機器にノイズが伝送されなくなり、この外部接続機器のスピーカから雑音が放音されたり、モニタに表示される画像が乱れるといった不具合が回避される効果がある。
【００２５】
また、請求項２に記載の発明は、電源部の電源コードを筐体の後側壁から外部に引き出し、且つ表示回路や操作信号処理回路を有する内蔵回路部を配線基板の前端部に配置する、この種のＡＶ装置に必要不可欠なレイアウトを維持する構成としながらも、映像・音声信号処理回路の外部入力端子を、配線基板の後端部に位置するスイッチング回路に対し遠くに離間する配線基板の前端部寄りの箇所に配設したので、この外部入力端子がスイッチング回路のスイッチング動作時に発生する高周波の誘導を受け難くなり、外部入力端子を介して映像・音声信号処理回路にノイズが導入されなくなる。
【図面の簡単な説明】
【図１】  本発明の実施の形態に係るＡＶ装置の外部出力端子の配置を示すケース本体の斜視図である。
【図２】  同ＡＶ装置の配線基板に実装された回路各部を示す概略配置図である。
【図３】  従来のＡＶ装置の配線基板に実装された回路各部を示す概略配置図である。
【符号の説明】
２  ケース本体（筐体）
２ａ  前側壁
２ｂ  後側壁
２ｃ  右側壁
２ｄ  左側壁
３  プリント基板（配線基板）
３ａ  前端部
３ｂ  後端部
４  電源コード
６  電源部
６ａ  ブリッジ整流回路
６ｂ  スイッチング回路
６ｃ  トランス
６ｄ  整流回路
６ｅ  電圧安定化回路
６ｆ  電圧出力回路
７  内蔵回路部
７ａ  表示回路
７ｂ  操作信号処理回路
８  映像・音声信号処理回路
８ａ  着脱端子部（外部入力端子）
１０〜１３  外部出力端子
【図１】
0003687093.tif 000002
【図２】
0003687093.tif 000003
【図３】
0003687093.tif 000004